(57)【要約】【課題】アンテナモジュールの使用機能を向上させるアンテナモジュールの切換回路及びその制御方法を提供する。【解決手段】アンテナモジュールの切換回路及びその制御方法は、各使用方式はすべて二本のアンテナがあり、信号処理が発した信号、もしくは伝送して受けた信号を信号処理ユニットへ送る。切換回路は複数のパワー分配モジュール、複数のスイッチ及び制御ユニットを含み、スイッチの電導と閉鎖を制御して使用方式を選択する。信号をスイッチとパワー分配モジュールを通じてアンテナへ送信し、アンテナが受けた信号は、パワー分配モジュールとスイッチを通じて信号処理ユニットへ伝送される。制御方法はアンテナモジュールの使用方式を決定する。先ずアンテナモジュールの使用方式を選択し、選択した使用方式に切換使用し、その後切換使用した使用方式の信号スループットをモニタリングし、且つスループットが閾値より低いかどうか比較し、スループットが閾値より低い時、別の使用方式を新たに選択する。【選択図】図４
2007097111.tif 000002
【特許請求の範囲】
【請求項１】
アンテナモジュールの切換回路において、アンテナモジュールを切り換えて複数のアンテナに使用し、そのアンテナモジュールは複数の使用方式を具え、各使用方式はすべて二本のアンテナを有し、信号処理ユニットで発した信号を送ったり、受信した信号を信号処理ユニットへ伝送したりするもので、該切換回路は、
信号をアンテナへ分配する複数のパワー分配モジュールと、各々がパワー分配モジュールと信号処理ユニットに相互に接続されて、信号をパワー分配モジュールへ伝送する複数のスイッチと、
スイッチの電導と閉鎖、そして信号処理ユニットを制御する制御ユニットを含み、そのうち、
アンテナが受信した信号はパワー分配モジュールとスイッチを通じて信号処理ユニットへ伝送されることを特徴とするアンテナモジュールの切換回路。
【請求項２】
前記アンテナモジュールは、第一アンテナ、第二アンテナ、第三アンテナ、第四アンテナを含み、複数のパワー分配モジュールは、
信号を第一アンテナと第二アンテナへ分配する第一パワー分配モジュールと、信号を第三アンテナと第四アンテナへ分配する第二パワー分配モジュールと、信号を第一パワー分配モジュールと第二パワー分配モジュールへ分配する第三パワー分配モジュールを含み、
複数のスイッチは、
信号処理ユニットと第三パワー分配モジュールの間に接続する第一スイッチと、第一スイッチと第一パワー分配モジュールの間に接続し、第一スイッチと第二パワー分配モジュールの間に接続する第二スイッチと、第三パワー分配モジュールと第一パワー分配モジュールの間に接続する第三スイッチと、
第三パワー分配モジュールと第二パワー分配モジュールの間に接続する第四スイッチを含むことを特徴とする請求項１記載のアンテナモジュールの切換回路。
【請求項３】
前記第一パワー分配モジュールは、第二スイッチに接続する第一パワー分配器と、第一アンテナと第一パワー分配器の間に接続し、第三スイッチと相互に接続する第二パワー分配器と、
第二アンテナと大地パワー分配器の間に接続し、第三スイッチと相互に接続する第三パワー分配器を含み、
第二パワー分配モジュールは、第二スイッチに接続する第四パワー分配器と、第三アンテナと第四パワー分配器の間に接続し、第四スイッチと相互に接続する第五パワー分配器と、第四アンテナと第四パワー分配器の間に接続し、第四スイッチと相互に接続する第六パワー分配器を含み、
第三パワー分配モジュールは、第一スイッチ、第三スイッチ、第四スイッチに接続する第七パワー分配器を含むことを特徴とする請求項２記載のアンテナモジュールの切換回路。
【請求項４】
前記パワー分配器は、Ｔ型接合分配器（Ｔ−ｊｕｎｃｔｉｏｎ  ｓｐｌｉｔｔｅｒ）とすることを特徴とする請求項３記載のアンテナモジュールの切換回路。
【請求項５】
前記パワー分配器は、各々変圧器もしくはマッチ抵抗回路を設置することを特徴とする請求項３記載のアンテナモジュールの切換回路。
【請求項６】
前記スイッチは、それぞれシングルサインオン（ｎｏｎ−ｒｅｆｌｅｃｔｉｖｅ Ｓｉｎｇｌｅ  Ｐｏｌｅ  Ｄｏｕｂｌｅ  Ｔｈｒｏｗ）スイッチとすることを特徴とする請求項１記載のアンテナモジュールの切換回路。
【請求項７】
前記アンテナモジュールは、無線インターネット装置に設置し、複数のアンテナは無線ネットワーク装置の両側に各々設置することを特徴とする請求項１記載のアンテナモジュールの切換回路。
【請求項８】
アンテナモジュールの制御方法は、複数の使用方式を具えたアンテナモジュールに用い、アンテナモジュールの使用方式を決定し、その制御方法は、
アンテナモジュールの使用方式を選択し、選択した使用方式に切換使用し、
切換使用した使用方式の信号スループットをモニタリングし、そのスループットが閾値より低いかどうか比較するというステップを含み、そのうち、
スループットが閾値より高いか、もしくは同じである時には選択した使用方式を維持し、スループットのモニタリングを維持して閾値と比較し続け、スループットが閾値より低くなった時、新たに別の使用方式を選択することを特徴とするアンテナモジュール制御方法。
【請求項９】
前記アンテナモジュールの使用方式を選択するステップは、更に下述を含み、アンテナモジュールの各使用方式を順番に選択し、選択した使用方式を順番に切換使用し、切換使用した使用方式のスループットを順番にモニタリングし、最高スループットの使用方式を選択することを特徴とする請求項８記載のアンテナモジュールの制御方法。
【請求項１０】
前記スループットが閾値より低いかどうか比較するステップは、スループットを平均して閾値と比較することを特徴とする請求項８記載のアンテナモジュールの制御方法。
【請求項１１】
前記スループットが閾値より低いかどうか比較するステップは、総スループットと閾値を比較することを特徴とする請求項８記載のアンテナモジュールの制御方法。
【発明の詳細な説明】
【技術分野】
【０００１】
本発明は、アンテナモジュールに関するもので、特にアンテナモジュールの切換回路及びその制御方法を指し、アンテナモジュールの使用機能を向上させるものである。
【背景技術】
【０００２】
無線技術は、急速に発展しており、無線技術を応用した製品は大幅に機能が向上している。無線インターネットによって、有線を使用してインターネットをした時の伝送制限を解決する。無線インターネット装置は、例としてアクセスポイント（ａｃｃｅｓｓ  Ｐｏｉｎｔ ，アクセスポイント（ＡＰ））もしくはネットワークユーザーは、無線インターネット装置がアンテナモジュールによってデータの送受信をしなければならないため、アンテナモジュールは一つの重要な役割を果たす。今日のアンテナモジュールは、切換できる装置の複数アンテナであるため、無線インターネット装置が複数個の使用方式を提供している。そのため、切換回路を設置し、無線インターネット装置が切換によって異なるアンテナを使用できる。
【０００３】
図１に示すのは、公知の切換回路の回路ブロックダイアグラムであり、図に示すとおり、公知の直立式アクセスポイント（ＡＰ）は、第一アンテナ８１、第二アンテナ８２、切換スイッチ８４、信号処理ユニット８６及び制御ユニット８８を含む。切換スイッチ８１、８２は二本のアンテナ８１，８２と信号処理ユニット８６の間に接続し、制御ユニット８８は各々信号処理ユニット８６と切換スイッチ８４に接続する。公知の技術は切換スイッチ８４を切換回路とするもので、信号処理ユニット８６が発する信号は、切換スイッチ８４を経由して初めて第一アンテナ８１、もしくは第二アンテナ８２に発信される。第一アンテナ８１もしくは第二アンテナ８２が受ける信号は、必ず切換スイッチ８４を経由して信号処理ユニット８６に伝送されなければならない。また切換スイッチ８４の電導と閉鎖は制御ユニット８８の制御を受け、制御ユニット８８を通して切換スイッチ８４が制御され、使用するアンテナモジュールのアンテナを選択する。
【０００４】
図２は、公知の使用方法選択の対照表で、仮に第一アンテナ８１を使用する場合、制御ユニット８８で切換スイッチ８４を図１に示す回路１へ切り換えることにより、第一アンテナ８１が信号処理ユニット８６に伝動され、第一アンテナが使用できる。同じく第二アンテナ８２を使用したい場合には、制御ユニット８８で切換スイッチ８４を回路２に切り換えることにより、第二アンテナ８２は信号処理ユニット８６と電導する。
【０００５】
上述のとおり、公知の直立式アクセスポイント（ＡＰ）のアンテナモジュールは、切換スイッチ８４で回路を切り換えて使用する場合、切り換えたアンテナしか使用できず、使用方法に制限がある。図２に示す実施例は、二種の使用方式であるが、アンテナモジュールに四つのアンテナが設置されていたとしても、同じであり、更に各アンテナの使用度にも制限が加わる。アンテナが信号を発信した時、最大有効等方向発射効率は有限で、且つアンテナが信号を受信した時の感度にも制限が加わり、無線インターネット装置の使用にも影響を及ぼす。
【０００６】
解決しようとする問題点は、公知の直立式アクセスポイント（ＡＰ）のアンテナモジュールは、切換スイッチで回路を切り換えて使用する場合、切り換えたアンテナしか使用できず、使用方法に制限がある点である。
【発明の開示】
【発明が解決しようとする課題】
【０００７】
本発明の主な目的は、アンテナモジュールの切換回路を提供し、アンテナモジュールが多種の使用方式を提供する。各仕様方式は、二本のアンテナをビーム成形して切換使用し、二本のアンテナの効果を得る。そのため、各使用方式の効果が向上し、アンテナモジュールの使用機能が増す。
【０００８】
本発明の別の目的は、アンテナモジュールの制御方法を提供し、それが適するアンテナモジュールの使用方式を選択し、それがアンテナモジュールの使用機能を高める。
【０００９】
本発明のアンテナモジュールの切換回路は、複数のパワー分配モジュールを含み、アンテナモジュールの信号処理ユニットから発した信号をアンテナモジュールのアンテナへ分配するのに用いられる。複数のスイッチは、それぞれが信号処理ユニットとパワー分配モジュールに接続され、その信号処理ユニットが発した信号は、スイッチからパワー分配モジュールへ伝送され、続いてアンテナへ分配される。この他、アンテナで受けた信号は、パワー分配モジュールとスイッチを通じて信号処理ユニットへ伝送し、処理する。このように信号処理ユニットが発した信号はスイッチからパワー分配モジュールへ伝送されることにより、アンテナへ分配される。この他、アンテナで受けた信号はまたパワー分配モジュールとスイッチを通じて信号処理ユニットへ伝送され、処理される。制御ユニットは、スイッチの電導と閉鎖の制御で、即ちアンテナモジュールの複数のアンテナを切換制御し、アンテナモジュールは複数の使用方式を具え、且つ各使用方式はすべて二本のアンテナを有し、信号処理ユニットの信号を送信したり、もしくは受信した信号を信号処理ユニットへ伝送したりする。
【００１０】
本発明のアンテナモジュールの制御方法は、アンテナモジュールの使用方式を決定し、方法を制御する。先ずアンテナモジュールの使用方式を選択し、その後選択した使用方式に切換使用する。続いて切換使用した使用方式の信号スループットをモニタリングし、最後にスループットが閾値より低いかどうか比較する。スループットが閾値より高いかもしくは同じである時、選択した使用方式を維持し、切換使用した使用方式のスループットを維持して閾値との比較を継続する。スループットが閾値より低くなった時、別の使用方式を新たに選択する。
【課題を解決するための手段】
【００１１】
請求項１の発明は、アンテナモジュールの切換回路において、アンテナモジュールを切り換えて複数のアンテナに使用し、そのアンテナモジュールは複数の使用方式を具え、各使用方式はすべて二本のアンテナを有し、信号処理ユニットで発した信号を送ったり、受信した信号を信号処理ユニットへ伝送したりするもので、切換回路は、
信号をアンテナへ分配する複数のパワー分配モジュールと、各々がパワー分配モジュールと信号処理ユニットに相互に接続されて、信号をパワー分配モジュールへ伝送する複数のスイッチと、
スイッチの電導と閉鎖、そして信号処理ユニットを制御する制御ユニットを含み、そのうち、
アンテナが受信した信号はパワー分配モジュールとスイッチを通じて信号処理ユニットへ伝送されることを特徴とするアンテナモジュールの切換回路としている。
請求項２の発明は、前記アンテナモジュールは、第一アンテナ、第二アンテナ、第三アンテナ、第四アンテナを含み、複数のパワー分配モジュールは、
信号を第一アンテナと第二アンテナへ分配する第一パワー分配モジュールと、信号を第三アンテナと第四アンテナへ分配する第二パワー分配モジュールと、信号を第一パワー分配モジュールと第二パワー分配モジュールへ分配する第三パワー分配モジュールを含み、
複数のスイッチは、
信号処理ユニットと第三パワー分配モジュールの間に接続する第一スイッチと、第一スイッチと第一パワー分配モジュールの間に接続し、第一スイッチと第二パワー分配モジュールの間に接続する第二スイッチと、第三パワー分配モジュールと第一パワー分配モジュールの間に接続する第三スイッチと、
第三パワー分配モジュールと第二パワー分配モジュールの間に接続する第四スイッチを含むことを特徴とする請求項１記載のアンテナモジュールの切換回路としている。
請求項３の発明は、前記第一パワー分配モジュールは、第二スイッチに接続する第一パワー分配器と、第一アンテナと第一パワー分配器の間に接続し、第三スイッチと相互に接続する第二パワー分配器と、
第二アンテナと大地パワー分配器の間に接続し、第三スイッチと相互に接続する第三パワー分配器を含み、
第二パワー分配モジュールは、第二スイッチに接続する第四パワー分配器と、第三アンテナと第四パワー分配器の間に接続し、第四スイッチと相互に接続する第五パワー分配器と、第四アンテナと第四パワー分配器の間に接続し、第四スイッチと相互に接続する第六パワー分配器を含み、
第三パワー分配モジュールは、第一スイッチ、第三スイッチ、第四スイッチに接続する第七パワー分配器を含むことを特徴とする請求項２記載のアンテナモジュールの切換回路としている。
請求項４の発明は、前記パワー分配器は、Ｔ型接合分配器（Ｔ−ｊｕｎｃｔｉｏｎ  Ｓｐｌｉｔｔｅｒ）とすることを特徴とする請求項３記載のアンテナモジュールの切換回路としている。
請求項５の発明は、前記パワー分配器は、各々変圧器もしくはマッチ抵抗回路を設置することを特徴とする請求項３記載のアンテナモジュールの切換回路としている。
請求項６の発明は、前記スイッチは、それぞれシングルサインオン（ｎｏｎ−ｒｅｆｌｅｃｔｉｖｅ  Ｓｉｎｇｌｅ  Ｐｏｌｅ  Ｄｏｕｂｌｅ  Ｔｈｒｏｗ）スイッチとすることを特徴とする請求項１記載のアンテナモジュールの切換回路としている。
請求項７の発明は、前記アンテナモジュールは、無線インターネット装置に設置し、複数のアンテナは無線ネットワーク装置の両側に各々設置することを特徴とする請求項１記載のアンテナモジュールの切換回路としている。
請求項８の発明は、アンテナモジュールの制御方法は、複数の使用方式を具えたアンテナモジュールに用い、アンテナモジュールの使用方式を決定し、その制御方法は、
アンテナモジュールの使用方式を選択し、選択した使用方式に切換使用し、
切換使用した使用方式の信号スループットをモニタリングし、そのスループットが閾値より低いかどうか比較するというステップを含み、そのうち、
スループットが閾値より高いか、もしくは同じである時には選択した使用方式を維持し、スループットのモニタリングを維持して閾値と比較し続け、スループットが閾値より低くなった時、新たに別の使用方式を選択することを特徴とするアンテナモジュール制御方法としている。
請求項９の発明は、前記アンテナモジュールの使用方式を選択するステップは、更に下述を含み、アンテナモジュールの各使用方式を順番に選択し、選択した使用方式を順番に切換使用し、切換使用した使用方式のスループットを順番にモニタリングし、最高スループットの使用方式を選択することを特徴とする請求項８記載のアンテナモジュールの制御方法としている。
請求項１０の発明は、前記スループットが閾値より低いかどうか比較するステップは、スループットを平均して閾値と比較することを特徴とする請求項８記載のアンテナモジュールの制御方法としている。
請求項１１の発明は、前記スループットが閾値より低いかどうか比較するステップは、総スループットと閾値を比較することを特徴とする請求項８記載のアンテナモジュールの制御方法としている。
【発明の効果】
【００１２】
本発明のアンテナモジュールの切換回路及びその制御方法は、制御ユニットにより複数のスイッチの電導と閉鎖を制御し、アンテナモジュールのアンテナを切り換えることによって、アンテナモジュールに複数の使用方式が具わり、且つ各使用方式はスイッチの電導とパワー分配モジュールによって、信号処理ユニットで発した信号を二本のアンテナへ分配伝送する。伝送、もしくは受けた信号が信号処理ユニットへ伝送されることにより、各使用方式はすべて二本のアンテナが使用でき、アンテナモジュールの使用機能を向上させるという利点がある。また、その制御方法は、選択した使用方式のスループットをモニタリングし、閾値と比較し、スループットが閾値より低い時にはその他の使用方式を選択してより良好な使用方法を選択するという利点がある。
【発明を実施するための最良の形態】
【００１３】
図３に示すのは、本発明実施例のブロックダイアグラムである。図に示すとおり、本発明は複数のアンテナのアンテナモジュールを具え、複数のアンテナは第一アンテナ１２、第二アンテナ１４、第三アンテナ１６及び第四アンテナ１８を含む。この四本のアンテナ１２、１４、１６、１８はそれぞれ本発明の切換回路のＲＦネットワーク２０と接続する。ＲＦネットワーク２０は、各々制御ユニット６０と信号処理ユニット７０とも接続する。この他、制御ユニット６０は信号ユニット７０とも接続している。本発明のアンテナモジュールには無線インターネット装置が設置される。例として直立式アクセスポイント（ａｃｃｅｓｓ  Ｐｏｉｎｔ， ＡＰ）、ブリッジ（ｂｒｉｄｇｅ）、ゲートウェイ（ｇａｔｅｗａｙ）、切換器（ｓｗｉｔｃｈ）、クライアントステーション（ｃｌｉｅｎｔ  ｓｔａｔｉｏｎ）、サーバーステーション（ｓｅｒｖｅｒ  ｓｔａｔｉｏｎ  ｓｅｒｖｅｒ  ｓｔａｔｉｏｎ）及びその他型式のステーション（ｓｔａｔｉｏｎ）がある。第一アンテナ１２と第二アンテナ１４は、無線インターネット装置の一側面に設置し、第三アンテナ１６と第四アンテナ１８は無線インターネット装置の別一側面に設置するる。
【００１４】
アンテナが最大の効果を得たり、上述の二種の互換を得るため、各一対のアンテナ間の極性差異（同じまたは反対）、逸脱角度（０°または１８０°）、及び間隔（二分の一波長より小さい、小さい波長、大きい波長）を調整することができる。
【００１５】
図４に示すのは、本発明実施例の回路ブロックダイアグラムで、図に示すとおり、本発明のＲＦネットワーク２０は複数のパワー分配モジュールと複数のスイッチを含み、複数のスイッチは信号処理ユニット７０とパワー分配モジュールに接続し、信号処理ユニット７０が発する信号がスイッチを通じてパワー分配モジュールに伝送され、アンテナに分配伝送される。アンテナが受信した信号はパワー分配モジュールとスイッチを通じて信号処理ユニット７０へ伝送され、スイッチの電導と閉鎖は制御ユニット６０によって制御され、その制御ユニット６０は信号処理ユニット７０に制御される。信号処理ユニット７０は伝送/受信スイッチ、低ノイズ拡大器、パワー拡大器、トランシーバー、及びベースバンド処理器/媒介アクセス制御（Ｍｅｄｉｕｍ Ａｃｃｅｓｓ  Ｃｏｎｔｒｏｌ，ＭＡＣ）を含む。
【００１６】
本発明の複数パワー分配モジュールは、第一パワー分配モジュール２１、第二パワー分配モジュール３０、第三パワー分配モジュール４０を含み、複数のスイッチは第一スイッチ５２、第二スイッチ５４、第三スイッチ５６及び第四スイッチ５８を含み、各スイッチ５２、５４、５６、５８はすべて制御ユニット６０と接続し、制御ユニット６０がスイッチ５２、５４、５６、５８の電導と閉鎖を制御する。第一スイッチ５２は信号処理ユニット７０と第三パワー分配モジュール４０の間に接続し、第二スイッチ５４は、第一スイッチ５２と第一パワー分配モジュール２１の間に接続し、第一スイッチ５２と第二パワー分配モジュール３０の間に接続する。第三スイッチ５６は第三パワー分配モジュール４０と第一パワー分配モジュールの間２１に接続する。第四スイッチ５８は、第三パワー分配モジュール４０と第二パワー分配モジュール３０の間に接続する。上述のスイッチは、シングルサインオン（ｎｏｎ−ｒｅｆｌｅｃｔｉｖｅ  Ｓｉｎｇｌｅ  Ｐｏｌｅ  Ｄｏｕｂｌｅ  Ｔｈｒｏｗ）スイッチで、ミスマッチによるロスを下げる。
【００１７】
第一パワー分配モジュール２１は、第一パワー分配器２２、第二パワー分配器２４と第三パワー分配器２６を含み、第一パワー分配器２２は、第二スイッチ５４と相互に接続し、且つ第二パワー分配器２４は第三パワー分配器２６と相互に接続し、第二パワー分配器２４と第三パワー分配器２６は各々第一アンテナ１２と第二アンテナ１４に接続し、且つすべて第三スイッチ５６に接続する。第二パワー分配モジュール３０は、第四パワー分配器３２、第五パワー分配器３４と第六パワー分配器３６を含み、第四パワー分配器３２は第二スイッチ５４に接続し、且つ第五パワー分配器３４と第六パワー分配器３６と相互に接続し、第五パワー分配器３４と第六パワー分配器３６は各々第三アンテナ１６と第四アンテナ１８と相互に接続し、且つすべて第四スイッチ５８に接続する。
【００１８】
第三パワー分配モジュール４０は、第七パワー分配器４５を含み、それは第一スイッチ５２、第三スイッチ５６と第四スイッチ５８と相互に接続し、上述は接続して合わせたパワーのパワー分配器に用い、無制限にバンド幅を合わせるため、Ｔ型接合分配器（Ｔ−ｊｕｎｃｔｉｏｎ  ｓｐｌｉｔｔｅｒ）、共有線分配器（ｉｎｌｉｎｅ  ｓｐｌｉｔｔｅｒ）、ウィルキンソン分派器（Ｗｉｌｋｉｎｓｏｎ  ｓｐｌｉｔｔｅｒ）、分枝線結合器（ｂｒａｎｃｈ  ｌｉｎｅ  ｃｏｕｐｌｅｒ）、方向性結合器（ｄｉｒｅｃｔｉｏｎａｌ  ｃｏｕｐｌｅｒ）、９０度移相混合型結合器（９０−ｄｅｇｒｅｅ  ｈｙｂｒｉｄ  ｃｏｕｐｌｅｒ）、もしくはマジックＴ型結合器（ｍａｇｉｃ−Ｔｅｅ  ｃｏｕｐｌｅｒ）とする。この他挿入ロスを下げるため、パワー分配器には、変圧器、移相器／減衰器（ｐｈａｓｅ  ｓｈｉｆｔｅｒ／ａｔｔｅｎｕａｔｏｒ）もしくはマッチ抵抗回路を設置する。
【００１９】
図５は、本発明実施例の使用方法選択対照表である。図に示すとおり、本発明は、制御ユニット６０を通じてスイッチ５２,５４、５６、５８の電導と閉鎖を制御し、アンテナモジュールは三種の使用モジュールを具え、各使用モジュールは二種の使用方法を具える。第一使用モジュールは、ビーム成形切換（ｆｏｒｍｅｄ−ｂｅａｍ  ｓｗｉｔｃｈｉｎｇ）モジュールで、それはアンテナモジュール前方の第一アンテナ１２と第二アンテナ１４もしくはアンテナモジュール後方の第三アンテナ１６と第四アンテナ１８で使用される。
【００２０】
第一種使用モジュールの第一使用方式は、制御ユニット６０を図４の対照表に基づき、第一スイッチ５２を制御して図３に示す回路１へ切り換える。第一スイッチ５２と第二スイッチ５４は相互に電導し、また第二スイッチ５４は、図３に示す回路１へ切り換え、第二スイッチ５４は第一パワー分配器２２に電導する。第一スイッチ５２が図３に示す回路１へ切り替わる為、第三スイッチ５６と第四スイッチ５８は無視してよい。このようにしてアンテナモジュール前方の第一アンテナ１２と第二アンテナ１４が使用できるようになる。同じように第一使用モジュールの第二使用方法に切り換えたい、即ちアンテナモジュール後方の第三アンテナ１８と第四アンテナ１８で使用したい時には、図４の対照表に基づき、第一スイッチ５２を図３に示す回路１へ切り換え、また第二スイッチ５４を図３に示す回路２へ切り換えればよい。
【００２１】
第二種使用モジュールは、ビーム成形選択式相違（ｆｏｒｍｅｄ−ｂｅａｍ  ｓｅｌｅｃｔｉｖｅ−ｄｉｖｅｒｓｉｔｙ）モジュールで、二無線電信アーキテクチャーを用いる場合、ビーム成形結合式相違（ｆｏｒｍｅｄ−ｂｅａｍ  ｃｏｍｂｉｎｉｎｇ−ｄｉｖｅｒｓｉｔｙ）モジュールとし、第二使用モジュールはアンテナモジュール左側の第一アンテナ１２と第三アンテナ１６、もしくはアンテナモジュール右側の第二アンテナ１４と第四アンテナ１８を使用する。第二使用モジュールの切換方法は、図４の対照表に基づき、第一スイッチ５２を図３に示す回路２へ切り換えたい場合、第三スイッチ５６と第四スイッチ５８はどちらも図３に示す回路１に切り換わり、第二スイッチ５４は、第一スイッチ５２が図３に示す回路２に切り換わるため、無視してよい。このようにしてアンテナモジュール左側の第一アンテナ１２と第三アンテナ１６に切換使用し、アンテナモジュール右側の第二アンテナ１４と第四アンテナ１８で切換使用したい時、図４の対照表に基づき、前述の使用方式と異なり、第三スイッチ５６と第四スイッチ５８を図３に示す回路２へ切り換える。
【００２２】
第三種使用モジュールは、ビーム成形時間多重（ｆｏｒｍｅｄ−ｂｅａｍ−ｔｉｍｅ  ｍｕｌｔｉｐｌｅｘｉｎｇ）モジュールで、二無線電信アーキテクチャーを用いる場合、ビーム成形多重式（ｆｏｒｍｅｄ−ｂｅａｍ  ｍｕｌｔｉｐｌｅｘｉｎｇ）モジュールとし、第三使用モジュールは、アンテナモジュール対角線の第一アンテナ１２と第四アンテナ１８、もしくは第二アンテナ１４と第三アンテナ１６で切換使用し、アンテナモジュール対角線の第一アンテナ１２と第四アンテナ１８に切り換えたい時、図４の対照表に基づき、第一スイッチ５２を図３に示す回路２へ切り換え、第二スイッチ５５４は無視してよい。第三スイッチ５６を図３に示す回路１に切り換わり、第四スイッチ５８は図３に示す回路２に切り換わる。このようにアンテナモジュールの対角線の第一アンテナ１２と第四アンテナ１８を使用し、アンテナモジュールの別の対角線の第二アンテナ１４と第三アンテナ１６を使用したい場合、図４に示す対照表に基づき、上述の使用方式と異なり、第三スイッチ５６を図３に示す回路２に切り替えると、第四スイッチ５８は図３に示す回路１に切り換わる。
【００２３】
上述からもわかるとおり、本発明の各使用方法は、信号処理ユニット７０が発した信号を送ったとき、すべてスイッチとパワー分配モジュールを通して二つのアンテナに信号が分配され、その発送信号が二本のアンテナを使用できるようにして信号効果を向上させ、加えてパワー分配器のロスを補う。そのためアンテナモジュールの各使用方法が向上する。この他、アンテナが受信した信号はパワー分配モジュールとスイッチを通し、信号処理ユニット７０へ伝達され、処理される。
【００２４】
図６に示すとおり、本発明はアンテナモジュールの使用方式の制御法を決定する。先ず、ステップＳ１は、アンテナモジュールの使用方式を選択する。この使用方式は予め設定された使用方式か、もしくは使用者の選択である。その後、選択された使用方式に基づき、選択した使用方式に切換使用する。選択した使用方式が第一使用モジュール内の使用方式である場合、またはビーム成形切換モジュール内の一方式を選択した場合、ステップＳ２へ進み、第一スイッチ５２と第二スイッチ５４を制御して動く。ビーム成形切換モジュールの一使用方式に切り換えるとは、即ち第一アンテナ１２と第二アンテナ１４を切換使用、もしくは第三アンテナ１６と第四アンテナ１８を切換使用することである。
【００２５】
同じく、ステップＳ１で選択した使用方式を、第二使用モジュール（ビーム成形選択式相違モジュール）の使用方式とした場合、ステップＳ３へ進む。ビーム成形選択式相違モジュールの一使用方式に切り換え、上述と同じになる。ステップＳ１で選択した使用方式は第三使用モジュール（ビーム成形時間多重モジュール）の使用方式とした時、ステップＳ４へ進み、ビーム成形時間多重モジュールの一使用方式に切り換える。
【００２６】
上述のとおり、ステップＳ２、Ｓ３とＳ４に進んだ後、ステップＳ５に示すとおり、切換使用した使用方式のスループットをモニタリングし、最後にステップＳ６へ進み、スループットが閾値より低いかどうか比較し、もしスループットが閾値より低い時はステップＳ１へ戻り、別の使用方式を選択する。またスループットが閾値より高いか、同じである場合、使用した使用方式を維持しステップＳ５とステップＳ６を実行し続け、スループットをモニタリングして閾値と比較する。スループットが閾値より低くなった時、別の使用方式を新たに選択する。このように適する使用方式を選択できることにより、アンテナモジュールの使用効果が向上する。上述のステップＳ６ではスループットを平均して閾値と比較するか、総スループットと閾値を比較する。
【００２７】
図７に示すのは、本発明別実施例のフローチャートである。図に示すとおり、この実施例が上述の実施例と異なるのは、ステップＳ１１からステップＳ１４であり、上述の実施例のステップＳ１に代わり、どの使用方式を選択するか決定し、使用方式を選択して決定した時、ステップＳ１１に示すとおり、アンテナモジュールのすべての使用方式を順番に選択する。更にステップＳ１２に示すとおり、選択した使用方式を順番に切換使用する。そしてステップＳ１３に示すとおり、切換使用した信号スループットをモニタリングする。最後にステップＳ１４に進み、最高スループットの使用方式を選択する。
【００２８】
その後、ステップＳ１５からステップＳ１７へ進む。ステップＳ１５は、上の実施例のステップＳ２からステップＳ４と同じで、ステップＳ１５はステップＳ１４が選択した使用方式に基づき、スイッチ切換を制御し、選択した使用方式を切換使用する。またステップＳ１６とステップＳ１７は、上の実施例のステップＳ５とステップＳ６と同じである。
【００２９】
本発明のアンテナモジュールの切換回路は、制御ユニットにより、複数のスイッチの電導と閉鎖を制御する。アンテナモジュールのアンテナを切換可能にすることによって、アンテナモジュールに複数の使用方式を与え、且つ各使用方式はスイッチの電導とパワー分配モジュールによって、信号処理ユニットが発した信号を二つのアンテナに分配伝送する。送信、もしくは受信した信号を信号処理ユニットへ伝送することにより、各使用方式はすべて二つのアンテナを使用し、これによって二つのアンテナの効果が向上する。また制御方法は、選択した使用方式のスループットのモニタリング、且つ閾値との比較により、スループットが閾値より低い時、その他の使用方式を選択し、最良な使用方式が選択できる。
【図面の簡単な説明】
【００３０】
【図１】公知の切換回路の回路ブロックダイアグラムである。
【図２】公知の使用方法選択の対照表である。
【図３】本発明実施例のブロックダイアグラムである。
【図４】本発明実施例の回路ブロックダイアグラムである。
【図５】本発明実施例の使用方法選択の対照表である。
【図６】本発明実施例のフローチャートである。
【図７】本発明別の実施例のフローチャートである。
【符号の説明】
【００３１】
１２  第一アンテナ            １４  第二アンテナ
１６  第三アンテナ            １８  第四アンテナ
２０  ＲＦネットワーク        ２１  第一パワー分配モジュール
２２  第一パワー分配器        ２４  第二パワー分配器
２６  第三パワー分配器        ３０  第二パワー分配モジュール
３２  第四パワー分配器        ３４  第五パワー分配器
３６  第六パワー分配器        ４０  第三パワー分配モジュール
３５  第七パワー分配器        ５２  第一スイッチ
５４  第二スイッチ            ５６  第三スイッチ
５８  第四スイッチ            ６０  制御ユニット
７０  信号処理ユニット        ８１  第一アンテナ
８２  第二アンテナ            ８４  切換スイッチ
８６  信号処理ユニット        ８８  制御ユニット
【図１】
2007097111.tif 000003
【図２】
2007097111.tif 000004
【図３】
2007097111.tif 000005
【図４】
2007097111.tif 000006
【図５】
2007097111.tif 000007
【図６】
2007097111.tif 000008
【図７】
2007097111.tif 000009